(57)【要約】【課題】  信頼性が高くセキュアな無線ＬＡＮ多重化送受信システム及び方法を提供する。【解決手段】分割された各データを複数の無線ＬＡＮを媒体として同時に並行して伝送する送信装置と受信装置を含む多重化無線ＬＡＮ送受信システム及び方法において、原データ（１次データ）を所定の長さの２次データに分割し、更に各２次データをｎ個ずつの３次データに分割し、ｎ個の３次データの排他的論理和を計算してパリティデータを求め、ｎ個の３次データ及びパリティデータを合わせたｎ＋１個のデータをｎ＋１本の異なる無線ＬＡＮで同時に並行して送信する。【選択図】図１
2016045417.tif 000002
【特許請求の範囲】
【請求項１】
分割された各データを複数の無線ＬＡＮを媒体として同時に並行して伝送する送信装置と、受信装置を含む多重化無線ＬＡＮ送受信システムにおいて、
該送信装置は、
データ送信の制御とデータを処理する送信装置制御部と、
送信対象の原データである１次データを格納する送信原データ格納部と、
１次データを分割し誤り検出のためのパリティを付加するデータ分割部と、
分割されたデータを格納する分割データ格納部と、
該分割データ格納部に格納された各データにつき、無線ＬＡＮで送信するための情報の付加と、必要に応じて暗号化を行う複数の無線ＬＡＮアダプタから構成される無線ＬＡＮアダプタ群Ａと、を備え、該無線ＬＡＮアダプタ群Ａの各無線ＬＡＮアダプタはそれぞれ異なる無線ＬＡＮに接続され、
該受信装置は、
データ受信の制御とデータを処理する受信装置制御部と、
前記送信装置により送信されたデータにつき、無線ＬＡＮで送信するために付加した情報を除去し暗号化されたデータを復号する複数の無線ＬＡＮアダプタから構成される無線ＬＡＮアダプタ群Ｂと、
受信データを格納する受信データ格納部と、
受信データを前記原データに復元するデータ復元部と、を備え、
前記データ分割部は、
１次データを前記送信原データ格納部から取得し、
１次データを所定の長さの２次データに分割し、
各２次データに連続する２次データ連続番号を付加し、
更に各２次データをｎ個の３次データＤｍ（ｍ＝１〜ｎ）に分割し、
ｎ個の３次データＤｍの排他的論理和を計算してパリティＰを求め、
該ｎ個の３次データ及び該パリティＰに連続する３次データ連続番号を付加し、
該パリティＰにパリティであることを特定するパリティデータ特定フラグを付加し、
該パリティＰをｎ＋１個に分割して分割パリティＰｚ（ｚ＝１〜ｎ＋１）を生成し、
前記各３次データＤｚ（ｚ＝１〜ｎ）に各分割パリティＰｚ（ｚ＝１〜ｎ）を付加したｎ個の４次データＱｚ（ｚ＝１〜ｎ）を生成し、
前記パリティＰに分割パリティＰｎ＋１を付加した４次データＱｎ＋１を生成し、
前記送信装置制御部は、
生成したＱｚ（ｚ＝１〜ｎ＋１）を送信単位とし、
各４次データＱｚを構成するｎ＋１個のデータを前記無線ＬＡＮアダプタ群のｎ＋１個の異なる無線ＬＡＮアダプタを経由して異なるｎ＋１個の無線ＬＡＮにより送信することを特徴とする多重化無線ＬＡＮ送受信システム。
【請求項２】
前記送信装置制御部は、
各４次データＱｚを構成するｎ＋１個のデータを前記無線ＬＡＮアダプタ群のｎ＋１個の異なる無線ＬＡＮアダプタを経由して異なるｎ＋１個の無線ＬＡＮにより送信するときに、
パリティＰは送信単位ごとに該複数の無線ＬＡＮに分散させて送信することを特徴とする請求項１に記載の多重化無線ＬＡＮ送受信システム。
【請求項３】
前記受信装置は、
前記データ送信装置から送信された前記各ｎ＋１個の４次データＱｚをそれぞれｎ＋１個の異なる複数の無線ＬＡＮからそれぞれ時間差を伴って受信し、
前記データ復元部は、
前記データ送信装置から受信した前記各ｎ＋１個の４次データＱｚを受信した順に前記無線ＬＡＮアダプタ群のｎ＋１個の異なる複数の無線ＬＡＮアダプタを経由して前記受信データ格納部のｎ＋１個の異なる複数のエリアに格納し、
前記データ復元部は、
前記受信データ格納部のｎ＋１個の異なる複数の該エリアから格納した順に前記各ｎ＋１個の４次データＱｚを取得し、同一の前記３次データ連続番号を有するｎ＋１個の４次データＱｚを抽出し、この中から前記パリティデータ特定フラグが付加されたデータを探してこれをパリティデータとみなし、
残りのｎ個の４次データＱｚの排他的論理和を計算し、この結果が該パリティＰの値と一致すれば、
該ｎ個の４次データＱｚに関して、３次データ連続番号の順に並べなおすことにより２次データを復元し、復元した２次データを２次データ連続番号の順に並べなおすことにより１次データを復元し、
前記残りのｎ個の４次データＱｚの排他的論理和の結果が該パリティデータの値と一致しなければ、
実際に受信したパリティＰをパリティＰＲとし、該パリティＰＲをｎ＋１個に分割して分割パリティＰＲｚ（ｚ＝１〜ｎ＋１）を生成し、４次データＱｚ内のｎ＋１個の各Ｐｚをｎ＋１個の各ＰＲｚとそれぞれ比較し、
１個のみ一致しない場合には、一致しないＰｚが付加されているＤｙが破損しているものとみなして、一致するＰｚが付加されている各Ｄｙの排他的論理和を計算することにより、一致しないＰｚが付加されているＤｙ又はＰを復元し、
２個以上一致しない場合には、一致しないＰｚが付加されているＤｙ又はＰが破損しているものとみなしてデータ復元不可とし、
全て一致する場合には、破損しているＤｙがどれか究明できないため、データ復元不可とすることを特徴とする請求項１又は２に記載の多重化無線ＬＡＮ送受信システム。
【請求項４】
前記データ分割部は、
１次データを前記送信原データ格納部から取得し、
１次データを所定の長さの２次データに分割し、
各２次データに連続する２次データ連続番号を付加し、
更に各２次データをｎ個の３次データＤｙ（ｙ＝１〜ｎ）に分割し、
ｎ個の３次データの排他的論理和を計算してパリティＰを求め、
該ｎ個の３次データ及び該パリティＰに連続する３次データ連続番号を付加し、
該パリティＰにパリティであることを特定するパリティデータ特定フラグを付加し、
前記送信装置制御部は、
ｎ個の３次データＤｙ及び該パリティＰを合わせたｎ＋１個のデータを同時に並行して送信する送信単位とし、
この送信単位を一つずつ連続して前記無線ＬＡＮアダプタ群のｎ＋１個の異なる無線ＬＡＮアダプタを経由して異なるｎ＋１個の無線ＬＡＮにより送信することを特徴とする請求項１に記載の多重化無線ＬＡＮ送受信システム。
【請求項５】
前記送信装置制御部は、
前記送信単位を一つずつ連続して前記無線ＬＡＮアダプタ群のｎ＋１個の異なる複数の無線ＬＡＮアダプタを経由してｎ＋１個の異なる複数の無線ＬＡＮにより送信する時に、
該パリティデータは送信単位ごとに該複数の無線ＬＡＮに分散させて送信することを特徴とする請求項４に記載の多重化無線ＬＡＮ送受信システム。
【請求項６】
前記受信装置は、
前記データ送信装置から送信された前記各送信単位を構成しているｎ個の３次データ及びパリティＰをそれぞれｎ＋１個の異なる複数の無線ＬＡＮからそれぞれ時間差を伴って受信し、
前記受信装置制御部は、
前記データ送信装置から受信した前記各ｎ個の３次データ及びパリティＰを受信した順に前記無線ＬＡＮアダプタ群のｎ＋１個の異なる複数の無線ＬＡＮアダプタを経由して前記受信データ格納部のｎ＋１個の異なる複数のエリアに格納し、
前記データ復元部は、
前記受信データ格納部のｎ＋１個の異なる複数の該エリアから格納した順に前記各ｎ個の３次データ及びパリティＰを取得し、
同一の前記３次データ連続番号を有するｎ個の３次データ及びパリティＰを抽出し、
この中から前記パリティデータ特定フラグが付加されたデータを探してこれをパリティデータとみなし、
残りのｎ個の３次データの排他的論理和を計算し、この結果が該パリティＰの値と一致すれば、
該ｎ個のデータに関して、３次データ連続番号の順に並べなおすことにより２次データを復元し、
復元した２次データを２次データ連続番号の順に並べなおすことにより１次データを復元し、
残りのｎ個の３次データの排他的論理和を計算し、この結果が該パリティＰの値と一致しなければ、該ｎ個の３次データ及び該パリティＰを廃棄することを特徴とする請求項４又は５に記載の多重化無線ＬＡＮ送受信システム。
【請求項７】
分割された各データを複数の無線ＬＡＮを媒体として同時に並行して送信する送信装置と、送信された各データを受信する受信装置とを含む伝送システムにおける多重化無線ＬＡＮ送受信方法であって、
該送信装置において；
原データである１次データを所定の長さの２次データに分割し、
各２次データに連続する２次データ連続番号を付加し、
更に各２次データをｎ個の３次データＤｙ（ｙ＝１〜ｎ）に分割し、
ｎ個の３次データの排他的論理和を計算してパリティＰを求め、
該ｎ個の３次データ及び該パリティＰに連続する３次データ連続番号を付加し、
該パリティＰにパリティであることを特定するパリティデータ特定フラグを付加し、
ｎ個の３次データＤｙ及び該パリティＰを合わせたｎ＋１個のデータを同時に並行して送信する送信単位とし、
この送信単位を一つずつ連続してｎ＋１個の異なる無線ＬＡＮアダプタを経由して異なるｎ＋１個の無線ＬＡＮにより送信し、
前記受信装置において；
前記データ送信装置から送信された前記各送信単位を構成しているｎ個の３次データ及びパリティＰをそれぞれｎ＋１個の異なる複数の無線ＬＡＮからそれぞれ時間差を伴って受信し、
前記データ送信装置から受信した前記各ｎ個の３次データ及びパリティＰを受信した順にｎ＋１個の異なる複数の無線ＬＡＮアダプタを経由して前記受信データ格納部のｎ＋１個の異なる複数のエリアに格納し、
前記受信データ格納部のｎ＋１個の異なる複数の該エリアから格納した順に前記各ｎ個の３次データ及びパリティＰを取得し、
同一の前記３次データ連続番号を有するｎ個の３次データ及びパリティＰを抽出し、
この中から前記パリティデータ特定フラグが付加されたデータを探してこれをパリティデータとみなし、残りのｎ個の３次データの排他的論理和を計算し、この結果が該パリティＰの値と一致すれば、
該ｎ個のデータに関して、３次データ連続番号の順に並べなおすことにより２次データを復元し、
復元した２次データを２次データ連続番号の順に並べなおすことにより１次データを復元
することを特徴とする多重化無線ＬＡＮ送受信方法。
【発明の詳細な説明】
【技術分野】
【０００１】
本発明は、信頼性が高くセキュアな多重化無線ＬＡＮ送受信システム及び方法に関する。
【背景技術】
【０００２】
無線ＬＡＮは電波を使用して通信を行うので、ＬＡＮケーブルの接続が不要であり、利便性が高いため、近年急速に普及し、多方面で利用されている。しかし、無線を使用するため、受信側が本来受信すべき信号電波以外に干渉する電波を受信して、通信状態が劣化する欠点を有している。また、第３者による盗聴や傍受を受け易いため、有線ＬＡＮと比較して信頼性とセキュリティが劣る。
【０００３】
このうち、通信状態の劣化に関する対策としては、特許文献１に開示されるように、通信状態の低下又はデータ再送回数の増加を検出して別の無線ＬＡＮに切り替える技術が提案されている。また、セキュリティに関する対策としては、データを暗号化することにより、当事者以外には解読できないようにしている。
【先行技術文献】
【特許文献】
【０００４】
【特許文献１】特開平１１−８８３７１号公報
【発明の概要】
【発明が解決しようとする課題】
【０００５】
特許文献１に開示される技術によれば、通信状態の低下を検出して別の無線ＬＡＮへの切り替えが完了するまでの間はデータが途切れてしまう。また、その頻度が多い場合には、データの断続が頻発しデータ復元度が大幅に低下する。また、別の無線ＬＡＮへ切り替えたとしても、第三者にパスワードを傍受されると暗号が解読されたり、データの改ざん等が起こる。
【０００６】
本発明の目的は、無線ＬＡＮの通信状態が悪化したり、暗号の解読やデータの改ざんが起こったとしても、信頼性が高くセキュアな無線ＬＡＮ多重化送受信システム及び方法を提供することである。
【課題を解決するための手段】
【０００７】
本発明は、分割された各データを複数の無線ＬＡＮを媒体として同時に並行して伝送する送信装置と受信装置を含む多重化無線ＬＡＮ送受信システム及び方法において、送信装置は、データ送信の制御とデータを処理する送信装置制御部と、送信対象の原データである１次データを格納する送信原データ格納部と、１次データを分割し誤り検出のためのパリティを付加するデータ分割部と、分割されたデータを格納する分割データ格納部と、分割データ格納部に格納された各データにつき、無線ＬＡＮで送信するための情報の付加と、必要に応じて暗号化を行う複数の無線ＬＡＮアダプタから構成される無線ＬＡＮアダプタ群Ａと、を備え、無線ＬＡＮアダプタ群Ａの各無線ＬＡＮアダプタはそれぞれ異なる無線ＬＡＮに接続され、受信装置は、データ受信の制御とデータを処理する受信装置制御部と、送信装置により送信されたデータにつき、無線ＬＡＮで送信するために付加した情報を除去し暗号化されたデータを復号する複数の無線ＬＡＮアダプタから構成される無線ＬＡＮアダプタ群Ｂと、受信データを格納する受信データ格納部と、受信データを原データに復元するデータ復元部と、を備え、データ分割部は、１次データを送信原データ格納部から取得し、１次データを所定の長さの２次データに分割し、各２次データに連続する２次データ連続番号を付加し、更に各２次データをｎ個の３次データＤｍ（ｍ＝１〜ｎ）に分割し、ｎ個の３次データＤｍの排他的論理和を計算してパリティＰを求め、ｎ個の３次データ及びパリティＰに連続する３次データ連続番号を付加し、パリティＰにパリティであることを特定するパリティデータ特定フラグを付加し、パリティＰをｎ＋１個に分割して分割パリティＰｚ（ｚ＝１〜ｎ＋１）を生成し、各３次データＤｚ（ｚ＝１〜ｎ）に各分割パリティＰｚ（ｚ＝１〜ｎ）を付加したｎ個の４次データＱｚ（ｚ＝１〜ｎ）を生成し、パリティＰに分割パリティＰｎ＋１を付加した４次データＱｎ＋１を生成し、送信装置制御部は、生成したＱｚ（ｚ＝１〜ｎ＋１）を送信単位とし、各４次データＱｚを構成するｎ＋１個のデータを無線ＬＡＮアダプタ群のｎ＋１個の異なる無線ＬＡＮアダプタを経由して異なるｎ＋１個の無線ＬＡＮにより送信することを特徴とする多重化無線ＬＡＮ送受信システム及び方法として実現することができる。
【発明の効果】
【０００８】
本発明によれば、無線ＬＡＮの通信状態が悪化したり、暗号の解読やデータの改ざんが起こったとしても、信頼性が高くセキュアな無線ＬＡＮ多重化送受信システム及び方法を実現することができる。
【図面の簡単な説明】
【０００９】
【図１】一実施例にかかる多重化無線ＬＡＮ送受信システムの構成を示す図である。
【図２】一実施例にかかる送信データ分割の手順を示す図である。
【図３】一実施例にかかる送信データの配置を示す図である。
【図４Ａ】一実施例にかかる受信データの復元手順ＮＯ.１を示す図である。
【図４Ｂ】一実施例にかかる受信データの復元手順ＮＯ.２を示す図である。
【図５】一実施例にかかるデータ復元の模式図である。
【発明を実施するための形態】
【００１０】
以下、本発明の一実施形態を、図面により詳細に説明する。  
まず、本実施例による多重化無線ＬＡＮ送受信システムの構成について図１に従い説明する。本実施例による無線ＬＡＮ多重化送受信システムは、データを送信するデータ送信装置１０と、データを受信するデータ受信装置２０と、無線ＬＡＮを中継する無線ＬＡＮ中継局群３０と、これらの間を接続する無線ＬＡＮ回線群４０から構成される。
【００１１】
データ送信装置１０は、データ送信装置１０の動作の制御とデータの処理を行う送信装置制御部１１０と、送信対象の原データである１次データ５０を格納する送信原データ格納部１００と、１次データ５０を所定の長さのｍ個の２次データ５２（図２のＣｘ（ｘ＝１〜ｍ））に分割し、更に２次データ５２を後述の方法により４次第１データ１３２と、４次第２データ１３４と、４次第３データ１３６とに３分割するデータ分割部１２０と、データ分割部１２０で３分割されたデータを格納する分割データ格納部１３０と、分割データ格納部１３０に格納された分割データに送信用の情報を付加し、必要に応じて暗号化の処理を行う複数の無線ＬＡＮアダプタから構成される無線ＬＡＮアダプタ群Ａ１８０とを備える。
【００１２】
無線ＬＡＮアダプタ群Ａ１８０は、分割データ格納部１３０に格納された４次第１データ１３２と、４次第２データ１３４と、４次第３データ１３６とにそれぞれ接続される無線ＬＡＮ第１アダプタ１４０と、無線ＬＡＮ第２アダプタ１５０と、無線ＬＡＮ第３アダプタ１６０とを有し、無線ＬＡＮアダプタ群Ａ１８０を通過した各データは、それぞれ第１無線ＬＡＮ４２０と、第２無線ＬＡＮ４４０と、第３無線ＬＡＮ４６０によって並行して同時に送信される。そして、同時に送信された３つのデータは無線ＬＡＮ中継局群３０を通過して、データ受信装置２０に到達する。無線ＬＡＮ中継局群３０は、無線ＬＡＮ第１中継局３１０と、無線ＬＡＮ第２中継局３２０と、無線ＬＡＮ第３中継局３３０とから構成される。
【００１３】
続いて、データ受信装置２０の構成を述べる。データ受信装置２０は、データ受信装置２０の動作の制御とデータの処理を行う受信装置制御部２００と、データ受信装置２０に到達したデータから、送信用に付加された情報を除去し、暗号化されている場合には復号化して、送信前の状態のデータに復元する無線ＬＡＮアダプタ群Ｂ２１０と、送信前の状態に復元された受信データを格納する受信データ格納部２２０と、受信データ格納部２２０に格納された受信データを分割前の原データに復元するデータ復元部２３０と、復元された１次データである復元１次データ２３５を格納する復元データ格納部２４０を備える。
【００１４】
無線ＬＡＮアダプタ群Ｂ２１０は、無線ＬＡＮ第４アダプタ２１２と、無線ＬＡＮ第５アダプタ２１４と、無線ＬＡＮ第６アダプタ２１６から構成される。また、受信データ格納部２２０は、受信第１データ２２２と、受信第２データ２２４と、受信第３データ２２６を格納する。
【００１５】
次に、データ分割部１２０によるデータ分割の手順を図２の模式図に従い説明する。データ分割部１２０は、１次データ５０を送信原データ格納部１００から取得し、１２ビットずつｍ個の２次データＣｘ（ｘ＝１〜ｍ）５２に分割（１次分割）（Ｓ２０１０）し、各２次データに対して、並んだ順番に１から１次分割番号５６を付ける（Ｓ２０２０）。
【００１６】
続いて、データ分割部１２０は、各２次データ５２を２個の３次データＤｙ（ｙ＝１〜ｎ）５５に分割（２次分割）（Ｓ２０３０）し、これらに２次分割番号ｙを付与し、上位6ビットを２次分割番号が１であるＤ１とし、これをＡと呼び、下位６ビットを２次分割番号が２であるＤ２とし、これをＢと呼ぶことにする。そして、ＡとＢの排他的論理和（ＥＯＲ）を計算して（Ｓ２０４０）パリティ（６ビット）６２を求めてＤ3とし、これをＰと呼ぶ。なお、Ｐの２次分割番号は０とする。続いて、パリティＰ６２を２ビットずつ分割パリティＰ１と分割パリティＰ２と分割パリティＰ３とに３分割する（Ｓ２０６０）。
【００１７】
続いて、データ分割部１２０は、データＡの上位にＰ１を付加し（Ｓ２０７０）、更に４ビットの１次分割番号５６の欄と４ビットの２次分割番号ｙ５８の欄を付加して、４次第１データ１３２（Ａデータ）を生成する。ここで、２次分割番号５８は１とする。４次第１データ１３２の場合には、データ分割部１２０は、１次分割番号５６の欄に１を記録し、２次分割番号５８の欄に１を記録する。
【００１８】
次に、データ分割部１２０は、データＢの上位にＰ２を付加し（Ｓ２０８０）、１次分割番号５６の欄に１を記録し、２次分割番号５８の欄に２を記録して４次第２データ１３４（Ａデータ）（Ｂデータ）を生成する。続いて、データ分割部１２０は、パリティＰ６２の上位にＰ３を付加し（Ｓ２０９０）、１次分割番号５６の欄に１を記録し、２次分割番号５８の欄に０を記録して４次第３データＱ3１３６（Ｐデータ）を生成する。
【００１９】
次に、１次分割番号ｘを１からｍまで一つずつ増加させて、３次データから４次データを生成する。そして、上述したＲＡＩＤ５の方式を利用して、Ｐデータの位置を一つずつずらしていく。この結果、各１次分割番号ｘごとに生成されたデータ列をＲｚ（ｚ＝１〜３）とする。
【００２０】
図３はこのＲｚを１次分割番号ｘ＝１〜３について示した図である。本実施例で、Ｐデータを配置する順番は、ディスクアレイ装置におけるデータの信頼性を向上するための技術であるＲＡＩＤ５の考え方を利用している。ＲＡＩＤ５は、ディスクアレイ装置を構成している複数のディスクにデータを分散して書き込むと同時に、パリティも計算・生成してディスクに書き込む方式である。
【００２１】
しかし、このパリティ用ディスクは固定されておらず、全ディスクに分散してパリティデータが書き込まれる。これにより、パリティ専用ディスクのみに排他的論理和を計算する負荷が集中し、性能が低下することを防いでいる。どれか１台のディスクが故障しても、それ以外のディスクのデータとパリティ情報から、元の完全なデータを生成して回復できる。ただし、回復可能なのは１台のディスクが故障したときまでであり、同時に２台以上が壊れると回復は不可能になる。この考え方を、複数の無線ＬＡＮ装置で分割データを送受信する場合に適用すると、複数の無線ＬＡＮのうち１カ所の無線ＬＡＮのデータを傍受しただけではデータを復元できないため、データの解読を防ぐことができる。また、複数の無線ＬＡＮ全てのデータが傍受されたとしても、結合手順が不明であれば、すべての無線ＬＡＮのデータを傍受できたとしてもデータの結合は困難である。更に、無線ＬＡＮが１台だけ故障しても、他の無線ＬＡＮで継続してデータ送信を行うことが可能となる。本実施例によれば、無線ＬＡＮの通信状態が悪化したり、暗号の解読やデータの改ざんが起こったとしても、信頼性の高いセキュアな無線ＬＡＮ多重化送受信を行うことができる。
【００２２】
本実施例においても、複数の無線ＬＡＮのうち、パリティデータを伝送する無線ＬＡＮを固定した場合には、排他的論理和を計算する負荷がその無線ＬＡＮに集中して伝送性能が低下する。そこで、複数の無線ＬＡＮの負荷を均等化するため、ＲＡＩＤ５の方式を採用してパリティデータを伝送する無線ＬＡＮは固定せずに分散させることにした。
【００２３】
まず、ｘ＝１の場合、データ分割部１２０は、上から順番にＡ１（Ａデータ）、Ｂ１（Ｂデータ）、Ｐ１（Ｐデータ）と配置させる。（Ａ、Ｂ、Ｐの後の添え字の番号１は１次分割番号を示す。）また、１次分割番号５６の欄は全て１とし、２次分割番号５８の欄は上から順番に１、２、０とする。
【００２４】
次に、ｘ＝２の場合、データ分割部１２０は、ｘ＝１の各データの位置を一つずつ下にずらして、上から順番にＰデータ、Ａデータ、Ｂデータと配置させる。また、１次分割番号５６は全て２とし、２次分割番号５８の欄は上から順番に０、１、２とする。続いて、ｘ＝３の場合、データ分割部１２０は、ｘ＝２の各データの位置を一つずつ下にずらして、上から順番にＢデータ、Ｐデータ、Ａデータとし、ｘ＝２の各データの位置を一つずつ下にずらして、上から順番にＢデータ、Ｐデータ、Ａデータと配置させる。また、１次分割番号５６は全て３とし、２次分割番号５８の欄は上から順番に２、０、１とする。このようにして、上述したＲＡＩＤ５の考え方を採用することにより、Ｐデータの位置を一つの無線ＬＡＮに固定せずに、３つの無線ＬＡＮに均等に分散させることにより、排他的論理和を計算する負荷が一つの無線ＬＡＮに集中して伝送性能が低下することを防止している。
【００２５】
送信装置制御部１１０は、これらのデータ列Ｒｚのデータを分割データ格納部１３０に格納する。そして、送信装置制御部１１０は、ＮＯ.１データ、ＮＯ.２データ、ＮＯ.３データのそれぞれを並行して、無線ＬＡＮアダプタ群Ａ１８０に送り、無線ＬＡＮアダプタ群Ａ１８０で送信用の情報が付加され、暗号化された後、無線ＬＡＮ中継局群３０を経由してデータ受信装置２０に送信する。
【００２６】
データ受信装置２０に届いたデータは無線ＬＡＮアダプタ群Ｂ２１０で送信用の情報を除去され、暗号を復号された後、受信装置制御部２００により、受信データ格納部２２０に格納される。受信データ格納部２２０に格納されるデータは、データ列Ｒｚのデータのレベルに相当する。  
次に、受信データ格納部２２０に格納されたデータは、データ復元部２３０により第１次データ５０のレベルまで復元される。
【００２７】
次に、データ復元部２３０におけるデータの復元手順を図４Ａ、図４Ｂ及び図５に基づいて説明する。まず、図５のデータ列Ｒｚの各３つのデータ（第１データ、第２データ、第３データ）が、それぞれ所定の３つの無線ＬＡＮを経由して、送信時の１次分割番号ｘの順番とは順不同のものを含めてデータ受信装置２０に到着して、無線ＬＡＮアダプタ群Ｂ２１０を経由して、この到着した順に右から受信データ格納部２２０に格納される。
【００２８】
各データの一番左の欄が１次分割番号５６であり、第１データＲ１については、到着した順に右から１次分割番号が１、３、２となっており、第２データＲ2については、３、２、１であり、第３データについては、３、１、２であり、どのデータも正規の順である１、２、３からずれて到着している。まず、データ復元部２３０は、このデータの中から、１次分割番号５６が同一である３つのデータ（第１データ、第２データ、第３データ）を抽出する（Ｓ４０１０）。図５の例では、１次分割番号５６が１である第１データ５１０と、第２データ５８０と、第３データ５６０とを抽出した場合について説明している。
【００２９】
次に、データ復元部２３０は、この３つのデータについて、データ種類の判別を行う（Ｓ４０１５）。具体的には、この３つのデータにつき、左から２番目の欄の２次分割番号５８により判別する。第１データ５１０は、２次分割番号が１であるからＡデータであり、第２データ５８０は２であるからＢデータであり、第３データ５６０は３であるからＰデータであると判別する。
【００３０】
続いて、データ復元部２３０は、３つのデータ間の整合性のチェックを行う（図４ＡのＳ４０２０）。具体的には、ＡデータとＢデータの排他的論理和を計算してＰの値に合致するか否かをチェックし、整合性の有無を判断する（Ｓ４０３０）。もし、パリティＰの値に合致して整合性ありと判断された場合には、Ｐデータを廃棄（Ｓ４０４０）して、ＡとＢを結合して、２次データ５２（ｘ＝１の場合）を復元する（Ｓ４０５０）。Ｓ４０３０の判断の結果、Ｐの値に合致しないで整合性なしとデータ復元部２３０が判断した場合には、データ復元部２３０は、図５におけるＲｚの第３データ５６０のＰを２ビットずつ上位から順にＰｕとＰｍとＰｄとに区分する（Ｓ４１００）。そして、破損データがＡ、Ｂ、Ｐのどれであるかを究明するために、以下の処理を行う。まず、データ復元部２３０は、Ｐ１とＰｕの比較、Ｐ２とＰｍの比較、Ｐ３とＰｄの比較の３通りの比較を行う（Ｓ４１１０）。３つの比較結果のうち相違するものがない場合は、Ａ、Ｂ、Ｐのどれが障害データであるか不明（Ｓ４１８０）のため、ＡとＢにつき復元することができない（Ｓ４１９０）ので、データ復元部２３０は、Ａ、Ｂ、Ｐを廃棄して（Ｓ４２００）、次のデータを復元するため、Ｓ４０１０に戻る。もし、３つの比較結果のうち相違するものが２個以上の場合には、データを復元することができない（Ｓ４１９０）ため、データ復元部２３０は、Ａ、Ｂ、Ｐを廃棄して（Ｓ４２００）、次のデータを復元するため、Ｓ４０１０に戻る。
【００３１】
もし、３つの比較のうち相違するものが１個の場合には、復元できる可能性があるため、次の手順を実施する。まず、３つを比較してどれが相違するのかをチェックする（Ｓ４１２０）。その結果、Ｐ１とＰｕが相違するのであれば、Ｐ２とＰｍ及びＰ３とＰｄの比較結果は共に一致しているため、Ｐ１が付加されている第１データの破損可能性は、Ｐ２が付加されている第２データとＰ３が付加されている第３データの破損の可能性よりも高いと推測される。従って、データ復元部２３０は、同じ第１データ中のＡも破損しているとみなし（Ｓ４１３０）、ＢとＰの排他的論理和を計算してＡを復元する（Ｓ４１４０）。
【００３２】
もしＰ２とＰｍが相違するのであれば、上述の考え方により、Ｐ２が付加されている第２データの破損の可能性が高いと推測される。従って、データ復元部２３０は、同じ第２データ中のＢも破損しているとみなし（Ｓ４１５０）、ＡとＰの排他的論理和を計算してＢを復元する（Ｓ４１６０）。もし、Ｐ３とＰｄが相違するのであれば、Ｐ３が付加されているＰが破損しているものとみなす（Ｓ４１７０）が、第１データ中のＡと第２データ中のＢは問題ないものと考えられるため、データ復元部２３０は、３データのうちＰを廃棄して（Ｓ４０４０）、ＡとＢを結合して２次データを復元する（Ｓ４０５０）。
【００３３】
データ復元部２３０は、図４Ａと図４Ｂの処理を１次分割番号ｘの１からｍまで繰り返して行うことにより、２次データを復元し、ｘの順に結合することにより、１次データを復元する。そして、受信装置制御部２００は、復元された１次データである復元１次データ２３５を復元データ格納部２４０に格納する。
【００３４】
従って、本実施例によれば、３本の無線ＬＡＮのうち、どれか１本に障害が起こっても、残りの２本の無線ＬＡＮのデータを使用して障害の起こった無線ＬＡＮのデータを復元することができる。また、第三者がどれか１本のデータを解読したとしても、残りの２本のデータが不明であれば、元のデータを復元することはできない。復元するためには、無線ＬＡＮの２本以上のデータの解読が必要である。
【００３５】
更には、第三者が３本ともデータを解読したとしても、3つのデータをどのように組み合わせるのか、どれがパリティデータなのかが分からなければ、元のデータを復元することはできない。
【００３６】
また、３本の無線ＬＡＮのうち、データの障害又は改ざんが起こったとしても、その箇所が１本のみであれば、その箇所を自動的に検出してデータを復元し、システムを復旧することができる。
【００３７】
従って、本実施例によれば、データ伝送の信頼性が高く、かつセキュアな無線ＬＡＮ多重化送受信システム及び方法を実現することができる。
【００３８】
他の実施例として、分割・復元処理の簡素化を図るために、データの構成を、Ａ、Ｂ、Ｐの各データにＰｚを付加しないでＡ、Ｂ、Ｐのみとすれば、障害箇所の自動検出はできないが、予め障害又は改ざんの起こった箇所が判明している場合に、対象データを復元することができる。
【符号の説明】
【００３９】
１０：データ送信装置、２０：データ受信装置、３０：無線ＬＡＮ中継局群、
４０：無線ＬＡＮ回線群、５０：１次データ、１００：送信原データ格納部、
１１０：送信装置制御部、１２０：データ分割部、１３０：分割データ格納部、
１８０：無線ＬＡＮアダプタ群Ａ、２００：受信装置制御部、
２１０：無線ＬＡＮアダプタ群Ｂ、２２０：受信データ格納部、２３０：データ復元部、２４０：復元データ格納部
【図１】
2016045417.tif 000003
【図２】
2016045417.tif 000004
【図３】
2016045417.tif 000005
【図４Ａ】
2016045417.tif 000006
【図４Ｂ】
2016045417.tif 000007
【図５】
2016045417.tif 000008